(57)【要約】【課題】受信状態の良いチャンネルの選択を効率的に行う。【解決手段】デジタル放送受信機のＭＰＵ１１が、１のマルチプレックス情報に対して複数の物理チャンネルが抽出された場合に、１のマルチプレックス情報に対応付けて複数の物理チャンネル識別情報を重複記憶部１２２に格納するチャンネル抽出部１１１と、重複記憶部１２２に格納された１のマルチプレックス情報に対応する複数の物理チャンネルの受信良否情報をそれぞれ生成する受信状態評価部１１５と、複数の物理チャンネルから受信状態の良好な物理チャンネルをディスプレイ１８３に表示する物理チャンネルとして選定するチャンネル選定部１１６と、を備えている。【選択図】図３
2008167370.tif 000002
【特許請求の範囲】
【請求項１】
デジタルテレビジョン放送を受信し、外部から視認可能にモニタに出力可能に構成されたデジタル放送受信装置であって、
前記モニタに表示する１のサービスに対応する論理チャンネルを識別する情報である論理チャンネル識別情報を、前記１のサービスが受信可能なサービスとして含まれる１のマルチプレックス情報、及び、前記１のマルチプレックス情報によって規定されるサービスを受信可能な１の放送波の周波数に対応する１の物理チャンネルを識別する情報である物理チャンネル識別情報と対応付けて予め格納するチャンネル記憶手段と、
各マルチプレックス情報を、マルチプレックス情報によって規定されるサービスを受信可能な複数の物理チャンネルの物理チャンネル識別情報と対応付けて格納する重複記憶手段と、
デジタルテレビジョン放送を介して、各マルチプレックス情報によって規定されたサービスを受信可能な物理チャンネルを抽出すると共に、１のマルチプレックス情報に対して複数の物理チャンネルが抽出された場合に、前記１のマルチプレックス情報に対応付けて、抽出された複数の物理チャンネルの物理チャンネル識別情報を、前記重複記憶手段に格納するチャンネル抽出手段と、
予め設定された所定のタイミングで、デジタルテレビジョン放送を介して、前記重複記憶手段に格納された１のマルチプレックス情報に対応する複数の物理チャンネルの受信状態の良否を評価する情報である受信良否情報としてＢＥＲ（Ｂｉｔ  Ｅｒｒｏｒ  Ｒａｔｅ）をそれぞれ生成する受信状態評価手段と、
前記受信状態評価手段によって生成されたＢＥＲに基づいて、前記チャンネル抽出手段によって抽出された複数の物理チャンネルから受信状態の良好な物理チャンネルを、前記モニタに表示する物理チャンネルとして選定するチャンネル選定手段と、
前記チャンネル選定手段によって選定された物理チャンネルの物理チャンネル識別情報を、前記チャンネル記憶手段に、前記１のマルチプレックス情報に対応付けて格納するチャンネル更新手段と、
外部からの操作入力を受け付けて、受け付けられた操作入力に基づいて１の論理チャンネルを前記モニタに表示する論理チャンネルとして受け付けるチャンネル受付手段と、
前記チャンネル受付手段によって受け付けられた１の論理チャンネルに対応するマルチプレックス情報が、前記重複記憶手段に格納されているか否かを判定する第１判定手段と、
前記第１判定手段によって格納されていると判定された場合に、前記受信状態評価手段に対して、前記チャンネル記憶手段に格納されている前記１の論理チャンネルに対応する１の物理チャンネルのＢＥＲを生成させ、生成されたＢＥＲが予め設定された所定の閾値より大きいか否かに基づいて、受信状態が予め設定された所定の状態以下であるか否かを判定する第２判定手段と、
を備え、
前記受信状態評価手段は、前記第２判定手段によって所定の状態以下であると判定された場合に、前記重複記憶手段に格納された他の物理チャンネルについてＢＥＲを生成し、
前記チャンネル選定手段は、複数の物理チャンネルから受信状態の良好な物理チャンネルを選定し、
前記チャンネル更新手段は、前記チャンネル選定手段によって他の物理チャンネルが選定された場合に、前記チャンネル記憶手段に格納された前記１の物理チャンネルを識別する情報である物理チャンネル識別情報を、前記他の物理チャンネルを識別する情報である物理チャンネル識別情報に書き換えることを特徴とするデジタル放送受信装置。
【請求項２】
デジタルテレビジョン放送を受信し、外部から視認可能にモニタに出力可能に構成されたデジタル放送受信装置であって、
前記モニタに表示する１のサービスに対応する論理チャンネルを識別する情報である論理チャンネル識別情報を、前記１のサービスが受信可能なサービスとして含まれる１のマルチプレックス情報、及び、前記１のマルチプレックス情報によって規定されるサービスを受信可能な１の放送波の周波数に対応する１の物理チャンネルを識別する情報である物理チャンネル識別情報と対応付けて予め格納するチャンネル記憶手段と、
各マルチプレックス情報を、マルチプレックス情報によって規定されるサービスを受信可能な複数の物理チャンネルの物理チャンネル識別情報と対応付けて格納する重複記憶手段と、
デジタルテレビジョン放送を介して、各マルチプレックス情報によって規定されたサービスを受信可能な物理チャンネルを抽出すると共に、１のマルチプレックス情報に対して複数の物理チャンネルが抽出された場合に、前記１のマルチプレックス情報に対応付けて、抽出された複数の物理チャンネルの物理チャンネル識別情報を、前記重複記憶手段に格納するチャンネル抽出手段と、
予め設定された所定のタイミングで、デジタルテレビジョン放送を介して、前記重複記憶手段に格納された１のマルチプレックス情報に対応する複数の物理チャンネルの受信状態の良否を評価する情報である受信良否情報をそれぞれ生成する受信状態評価手段と、
前記受信状態評価手段によって生成された受信良否情報に基づいて、前記チャンネル抽出手段によって抽出された複数の物理チャンネルから受信状態の良好な物理チャンネルを、前記モニタに表示する物理チャンネルとして選定するチャンネル選定手段と、
前記チャンネル選定手段によって選定された物理チャンネルの物理チャンネル識別情報を、前記チャンネル記憶手段に、前記１のマルチプレックス情報に対応付けて格納するチャンネル更新手段と、
を備えることを特徴とするデジタル放送受信装置。
【請求項３】
前記受信状態評価手段は、受信良否情報としてＢＥＲ（Ｂｉｔ  Ｅｒｒｏｒ  Ｒａｔｅ）を生成することを特徴とする請求項２に記載のデジタル放送受信装置。
【請求項４】
外部からの操作入力を受け付けて、受け付けられた操作入力に基づいて１の論理チャンネルを前記モニタに表示する論理チャンネルとして受け付けるチャンネル受付手段と、
前記チャンネル受付手段によって受け付けられた１の論理チャンネルに対応するマルチプレックス情報が、前記重複記憶手段に格納されているか否かを判定する第１判定手段と、
前記第１判定手段によって格納されていると判定された場合に、前記受信状態評価手段に対して、前記チャンネル記憶手段に格納されている前記１の論理チャンネルに対応する１の物理チャンネルの受信状態の良否を評価する情報である受信良否情報を生成させ、生成された受信良否情報に対応する受信状態が予め設定された所定の状態以下であるか否かを判定する第２判定手段と、
を備え、
前記受信状態評価手段は、前記第２判定手段によって所定の状態以下であると判定された場合に、前記重複記憶手段に格納された他の物理チャンネルについて受信良否情報を生成し、
前記チャンネル選定手段は、複数の物理チャンネルから受信状態の良好な物理チャンネルを選定し、
前記チャンネル更新手段は、前記チャンネル選定手段によって他の物理チャンネルが選定された場合に、前記チャンネル記憶手段に格納された前記１の物理チャンネルを識別する情報である物理チャンネル識別情報を、前記他の物理チャンネルを識別する情報である物理チャンネル識別情報に書き換えることを特徴とする請求項３に記載のデジタル放送受信装置。
【請求項５】
前記第２判定手段は、前記１の物理チャンネルのＢＥＲが予め設定された所定の閾値より大きい場合に、受信状態が予め設定された所定の状態以下であると判定することを特徴とする請求項４に記載のデジタル放送受信装置。
【請求項６】
前記受信状態評価手段は、予め設定された所定時間毎に、受信状態の良否を評価する情報である受信良否情報を生成し、
前記チャンネル選定手段は、前記受信状態評価手段によって受信良否情報が生成される度に、物理チャンネルを選定し、
前記チャンネル更新手段は、前記チャンネル選定手段によって物理チャンネルが選定される度に、前記チャンネル記憶手段に格納された物理チャンネル識別情報を更新することを特徴とする請求項２〜請求項５のいずれかに記載のデジタル放送受信装置。
【請求項７】
前記受信状態評価手段は、外部からの操作入力を受け付けて、受け付けられた操作入力に基づいて、受信状態の良否を評価する情報である受信良否情報を生成し、
前記チャンネル選定手段は、前記受信状態評価手段によって受信良否情報が生成される度に、物理チャンネルを選定し、
前記チャンネル更新手段は、前記チャンネル選定手段によって物理チャンネルが選定される度に、前記チャンネル記憶手段に格納された物理チャンネル識別情報を更新することを特徴とする請求項２〜請求項６のいずれかに記載のデジタル放送受信装置。
【請求項８】
デジタルテレビジョン放送を受信し、外部から視認可能にモニタに出力可能に構成されたデジタル放送受信装置であって、
前記モニタに表示する１のサービスに対応する論理チャンネルを識別する情報である論理チャンネル識別情報を、前記１のサービスが受信可能な１の放送波の周波数に対応する１の物理チャンネルを識別する情報である物理チャンネル識別情報と対応付けて予め格納するチャンネル記憶手段と、
各論理チャンネル識別情報を、論理チャンネル識別情報に対応するサービスを受信可能な複数の物理チャンネルの物理チャンネル識別情報と対応付けて格納する重複記憶手段と、
デジタルテレビジョン放送を介して、各論理チャンネルを受信可能な物理チャンネルを抽出すると共に、１の論理チャンネルに対して複数の物理チャンネルが抽出された場合に、前記１の論理チャンネルを示す論理チャンネル識別情報に対応付けて、抽出された複数の物理チャンネルの物理チャンネル識別情報を、前記重複記憶手段に格納するチャンネル抽出手段と、
予め設定された所定のタイミングで、デジタルテレビジョン放送を介して、前記重複記憶手段に格納された１の論理チャンネルに対応する複数の物理チャンネルの受信状態の良否を評価する情報である受信良否情報をそれぞれ生成する受信状態評価手段と、
前記受信状態評価手段によって生成された受信良否情報に基づいて、前記チャンネル記憶手段に格納された複数の物理チャンネルから１の物理チャンネルを、前記モニタに表示する物理チャンネルとして選定するチャンネル選定手段と、
前記チャンネル選定手段によって選定された物理チャンネルの物理チャンネル識別情報を、前記チャンネル記憶手段に、前記１の論理チャンネル識別情報に対応付けて格納するチャンネル更新手段と、
を備えることを特徴とするデジタル放送受信装置。
【発明の詳細な説明】
【技術分野】
【０００１】
本発明は、デジタルテレビジョン放送を受信し、外部から視認可能にモニタに出力可能に構成されたデジタル放送受信装置に関する。
【背景技術】
【０００２】
従来、テレビジョン放送を受信し、外部から視認可能にモニタに出力可能に構成されたデジタル放送受信装置では、デジタル放送の普及に伴って、視聴可能なチャンネル数が飛躍的に増加し、ユーザが受信状態の良好なチャンネルを効率的に選択することが困難になっている。
【０００３】
この課題を解消するために、種々の装置が提案されている。例えば、トランスポートストリーム単位で測定された各チャンネル（物理チャンネルに相当する）の受信強度を各チャンネル情報にリンクさせてメモリに記憶させ、メモリから各チャンネル情報を読み出してチャンネル一覧を画面上に表示させる際に、リンクさせてメモリに記憶させた各チャンネルの受信強度に応じて各チャンネル表示部を異なる形態、例えば異なる色で表示させるデジタルテレビ受信機が開示されている（特許文献１参照）。このデジタルテレビ受信機によれば、各チャンネルの受信強度が画面上に表示されるため、受信状態の良いチャンネルの選択を効率的に行うことができる。
【特許文献１】特開２００２−３３５４５８号公報
【発明の開示】
【発明が解決しようとする課題】
【０００４】
しかしながら、上記デジタルテレビ受信機においては、一旦、メモリに記憶させた物理チャンネル（＝ｐｈｙｓｉｃａｌ  ｃｈａｎｎｅｌ）の受信強度の一部が変化する度に、各物理チャンネルの受信強度を再度測定し、物理チャンネルの選択を行う必要があるため、煩雑である場合があった。
【０００５】
一方、デジタルテレビジョン放送においては、１のトランスポートストリームに複数のコンテンツ（＝論理チャンネル（ｌｏｇｉｃａｌ  ｃｈａｎｎｅｌ）に相当する）を重畳させてマルチプレックス（Ｍｕｌｔｉｐｌｅｘ）として伝送する場合がある（ＩＥＣ  （Ｉｎｔｅｒｎａｔｉｏｎａｌ  Ｅｌｅｃｔｒｏｔｅｃｈｎｉｃａｌ  Ｃｏｍｍｉｓｓｉｏｎ）６２２１６−１、（２００１）、Ｅ−Ｂｏｏｋ  （Ｄｒａｆｔ  Ｖｅｒｓｉｏｎ  ２．０．２）Ｄｉｇｉｔａｌ  ｔｅｒｒｅｓｔｒｉａｌ  ｔｅｌｅｖｉｓｉｏｎ  Ｒｅｃｅｉｖｅｒｓ  ｆｏｒ  ｔｈｅ  ＤＶＢ−Ｔ  ｓｙｓｔｅｍ参照）。
【０００６】
ユーザが視聴を所望する１の論理チャンネルに対応するマルチプレックスの受信強度が低下した際に、前記１の論理チャンネルと同一内容の論理チャンネルを含む他のマルチプレックスの受信状態が良好である場合には、前記１の論理チャンネルに対応するマルチプレックスに換えて前記他のマルチプレックスに含まれる論理チャンネルを受信することにより視聴を可能とすることができる。しかし、上記デジタルテレビ受信機においては、このような場合にも、各物理チャンネルの受信強度を再度測定し、物理チャンネルの選択を行う必要があるため、煩雑である場合があった。
【０００７】
本発明は、上記課題に鑑みてなされたものであって、受信状態の良いチャンネルの選択を効率的に行うデジタル放送受信装置を提供することを目的としている。
【課題を解決するための手段】
【０００８】
上記目的を達成するために請求項１に記載のデジタル放送受信装置は、デジタルテレビジョン放送を受信し、外部から視認可能にモニタに出力可能に構成されたデジタル放送受信装置であって、前記モニタに表示する１のサービスに対応する論理チャンネルを識別する情報である論理チャンネル識別情報を、前記１のサービスが受信可能なサービスとして含まれる１のマルチプレックス情報、及び、前記１のマルチプレックス情報によって規定されるサービスを受信可能な１の放送波の周波数に対応する１の物理チャンネルを識別する情報である物理チャンネル識別情報と対応付けて予め格納するチャンネル記憶手段と、各マルチプレックス情報を、マルチプレックス情報によって規定されるサービスを受信可能な複数の物理チャンネルの物理チャンネル識別情報と対応付けて格納する重複記憶手段と、デジタルテレビジョン放送を介して、各マルチプレックス情報によって規定されたサービスを受信可能な物理チャンネルを抽出すると共に、１のマルチプレックス情報に対して複数の物理チャンネルが抽出された場合に、前記１のマルチプレックス情報に対応付けて、抽出された複数の物理チャンネルの物理チャンネル識別情報を、前記重複記憶手段に格納するチャンネル抽出手段と、予め設定された所定のタイミングで、デジタルテレビジョン放送を介して、前記重複記憶手段に格納された１のマルチプレックス情報に対応する複数の物理チャンネルの受信状態の良否を評価する情報である受信良否情報としてＢＥＲ（Ｂｉｔ  Ｅｒｒｏｒ  Ｒａｔｅ）をそれぞれ生成する受信状態評価手段と、前記受信状態評価手段によって生成されたＢＥＲに基づいて、前記チャンネル抽出手段によって抽出された複数の物理チャンネルから受信状態の良好な物理チャンネルを、前記モニタに表示する物理チャンネルとして選定するチャンネル選定手段と、前記チャンネル選定手段によって選定された物理チャンネルの物理チャンネル識別情報を、前記チャンネル記憶手段に、前記１のマルチプレックス情報に対応付けて格納するチャンネル更新手段と、外部からの操作入力を受け付けて、受け付けられた操作入力に基づいて１の論理チャンネルを前記モニタに表示する論理チャンネルとして受け付けるチャンネル受付手段と、前記チャンネル受付手段によって受け付けられた１の論理チャンネルに対応するマルチプレックス情報が、前記重複記憶手段に格納されているか否かを判定する第１判定手段と、前記第１判定手段によって格納されていると判定された場合に、前記受信状態評価手段に対して、前記チャンネル記憶手段に格納されている前記１の論理チャンネルに対応する１の物理チャンネルのＢＥＲを生成させ、生成されたＢＥＲが予め設定された所定の閾値より大きいか否かに基づいて、受信状態が予め設定された所定の状態以下であるか否かを判定する第２判定手段と、を備え、前記受信状態評価手段が、前記第２判定手段によって所定の状態以下であると判定された場合に、前記重複記憶手段に格納された他の物理チャンネルについてＢＥＲを生成し、前記チャンネル選定手段が、複数の物理チャンネルから受信状態の良好な物理チャンネルを選定し、前記チャンネル更新手段が、前記チャンネル選定手段によって他の物理チ��ンネルが選定された場合に、前記チャンネル記憶手段に格納された前記１の物理チャンネルを識別する情報である物理チャンネル識別情報を、前記他の物理チャンネルを識別する情報である物理チャンネル識別情報に書き換えることを特徴としている。
【０００９】
請求項２に記載のデジタル放送受信装置は、デジタルテレビジョン放送を受信し、外部から視認可能にモニタに出力可能に構成されたデジタル放送受信装置であって、前記モニタに表示する１のサービスに対応する論理チャンネルを識別する情報である論理チャンネル識別情報を、前記１のサービスが受信可能なサービスとして含まれる１のマルチプレックス情報、及び、前記１のマルチプレックス情報によって規定されるサービスを受信可能な１の放送波の周波数に対応する１の物理チャンネルを識別する情報である物理チャンネル識別情報と対応付けて予め格納するチャンネル記憶手段と、各マルチプレックス情報を、マルチプレックス情報によって規定されるサービスを受信可能な複数の物理チャンネルの物理チャンネル識別情報と対応付けて格納する重複記憶手段と、デジタルテレビジョン放送を介して、各マルチプレックス情報によって規定されたサービスを受信可能な物理チャンネルを抽出すると共に、１のマルチプレックス情報に対して複数の物理チャンネルが抽出された場合に、前記１のマルチプレックス情報に対応付けて、抽出された複数の物理チャンネルの物理チャンネル識別情報を、前記重複記憶手段に格納するチャンネル抽出手段と、予め設定された所定のタイミングで、デジタルテレビジョン放送を介して、前記重複記憶手段に格納された１のマルチプレックス情報に対応する複数の物理チャンネルの受信状態の良否を評価する情報である受信良否情報をそれぞれ生成する受信状態評価手段と、前記受信状態評価手段によって生成された受信良否情報に基づいて、前記チャンネル抽出手段によって抽出された複数の物理チャンネルから受信状態の良好な物理チャンネルを、前記モニタに表示する物理チャンネルとして選定するチャンネル選定手段と、前記チャンネル選定手段によって選定された物理チャンネルの物理チャンネル識別情報を、前記チャンネル記憶手段に、前記１のマルチプレックス情報に対応付けて格納するチャンネル更新手段と、を備えることを特徴としている。
【００１０】
請求項３に記載のデジタル放送受信装置は、請求項２に記載のデジタル放送受信装置であって、前記受信状態評価手段が、受信良否情報としてＢＥＲ（Ｂｉｔ  Ｅｒｒｏｒ  Ｒａｔｅ）を生成することを特徴としている。
【００１１】
請求項４に記載のデジタル放送受信装置は、請求項３に記載のデジタル放送受信装置であって、外部からの操作入力を受け付けて、受け付けられた操作入力に基づいて１の論理チャンネルを前記モニタに表示する論理チャンネルとして受け付けるチャンネル受付手段と、前記チャンネル受付手段によって受け付けられた１の論理チャンネルに対応するマルチプレックス情報が、前記重複記憶手段に格納されているか否かを判定する第１判定手段と、前記第１判定手段によって格納されていると判定された場合に、前記受信状態評価手段に対して、前記チャンネル記憶手段に格納されている前記１の論理チャンネルに対応する１の物理チャンネルの受信状態の良否を評価する情報である受信良否情報を生成させ、生成された受信良否情報に対応する受信状態が予め設定された所定の状態以下であるか否かを判定する第２判定手段と、を備え、前記受信状態評価手段が、前記第２判定手段によって所定の状態以下であると判定された場合に、前記重複記憶手段に格納された他の物理チャンネルについて受信良否情報を生成し、前記チャンネル選定手段が、複数の物理チャンネルから受信状態の良好な物理チャンネルを選定し、前記チャンネル更新手段が、前記チャンネル選定手段によって他の物理チャンネルが選定された場合に、前記チャンネル記憶手段に格納された前記１の物理チャンネルを識別する情報である物理チャンネル識別情報を、前記他の物理チャンネルを識別する情報である物理チャンネル識別情報に書き換えることを特徴としている。
【００１２】
請求項５に記載のデジタル放送受信装置は、請求項４に記載のデジタル放送受信装置であって、前記第２判定手段が、前記１の物理チャンネルのＢＥＲが予め設定された所定の閾値以下より大きい場合に、受信状態が予め設定された所定の状態以下であると判定することを特徴としている。
【００１３】
請求項６に記載のデジタル放送受信装置は、請求項２〜請求項５のいずれかに記載のデジタル放送受信装置であって、前記受信状態評価手段が、予め設定された所定時間毎に、受信状態の良否を評価する情報である受信良否情報を生成し、前記チャンネル選定手段は、前記受信状態評価手段によって受信良否情報が生成される度に、物理チャンネルを選定し、前記チャンネル更新手段が、前記チャンネル選定手段によって物理チャンネルが選定される度に、前記チャンネル記憶手段に格納された物理チャンネル識別情報を更新することを特徴としている。
【００１４】
請求項７に記載のデジタル放送受信装置は、請求項２〜請求項６のいずれかに記載のデジタル放送受信装置であって、前記受信状態評価手段が、外部からの操作入力を受け付けて、受け付けられた操作入力に基づいて、受信状態の良否を評価する情報である受信良否情報を生成し、前記チャンネル選定手段が、前記受信状態評価手段によって受信良否情報が生成される度に、物理チャンネルを選定し、前記チャンネル更新手段が、前記チャンネル選定手段によって物理チャンネルが選定される度に、前記チャンネル記憶手段に格納された物理チャンネル識別情報を更新することを特徴としている。
【００１５】
請求項８に記載のデジタル放送受信装置は、デジタルテレビジョン放送を受信し、外部から視認可能にモニタに出力可能に構成されたデジタル放送受信装置であって、前記モニタに表示する１のサービスに対応する論理チャンネルを識別する情報である論理チャンネル識別情報を、前記１のサービスが受信可能な１の放送波の周波数に対応する１の物理チャンネルを識別する情報である物理チャンネル識別情報と対応付けて予め格納するチャンネル記憶手段と、各論理チャンネル識別情報を、論理チャンネル識別情報に対応するサービスを受信可能な複数の物理チャンネルの物理チャンネル識別情報と対応付けて格納する重複記憶手段と、デジタルテレビジョン放送を介して、各論理チャンネルを受信可能な物理チャンネルを抽出すると共に、１の論理チャンネルに対して複数の物理チャンネルが抽出された場合に、前記１の論理チャンネルを示す論理チャンネル識別情報に対応付けて、抽出された複数の物理チャンネルの物理チャンネル識別情報を、前記重複記憶手段に格納するチャンネル抽出手段と、予め設定された所定のタイミングで、デジタルテレビジョン放送を介して、前記重複記憶手段に格納された１の論理チャンネルに対応する複数の物理チャンネルの受信状態の良否を評価する情報である受信良否情報をそれぞれ生成する受信状態評価手段と、前記受信状態評価手段によって生成された受信良否情報に基づいて、前記チャンネル記憶手段に格納された複数の物理チャンネルから１の物理チャンネルを、前記モニタに表示する物理チャンネルとして選定するチャンネル選定手段と、前記チャンネル選定手段によって選定された物理チャンネルの物理チャンネル識別情報を、前記チャンネル記憶手段に、前記１の論理チャンネル識別情報に対応付けて格納するチャンネル更新手段と、を備えることを特徴としている。
【発明の効果】
【００１６】
請求項１に記載のデジタル放送受信装置によれば、モニタに表示する１のサービスに対応する論理チャンネルを識別する情報である論理チャンネル識別情報が、１のサービスが受信可能なサービスとして含まれる１のマルチプレックス情報、及び、１のマルチプレックス情報によって規定されるサービスを受信可能な１の放送波の周波数に対応する１の物理チャンネルを識別する情報である物理チャンネル識別情報と対応付けてチャンネル記憶手段に予め格納されている。そして、デジタルテレビジョン放送を介して、各マルチプレックス情報によって規定されたサービスを受信可能な物理チャンネルが抽出されると共に、１のマルチプレックス情報に対して複数の物理チャンネルが抽出された場合に、１のマルチプレックス情報に対応付けて、抽出された複数の物理チャンネルの物理チャンネル識別情報が、重複記憶手段に格納される。
【００１７】
また、予め設定された所定のタイミングで、デジタルテレビジョン放送を介して、重複記憶手段に格納された１のマルチプレックス情報に対応する複数の物理チャンネルの受信状態の良否を評価する情報である受信良否情報がそれぞれ生成され、生成された受信良否情報に基づいて、抽出された複数の物理チャンネルから受信状態の良好な物理チャンネルが、モニタに表示する物理チャンネルとして選定され、選定された物理チャンネルの物理チャンネル識別情報が、チャンネル記憶手段に、１のマルチプレックス情報に対応付けて格納されるため、受信状態の良いチャンネルの選択を効率的に行うことができる。
【００１８】
すなわち、デジタルテレビジョン放送を介して、１のマルチプレックス情報によって規定されたサービスを受信可能な複数の物理チャンネルが抽出された場合には、これらの物理チャンネルを介して受信されるサービス（＝論理チャンネル）は同一であるため、抽出された複数の物理チャンネルの内、チャンネル記憶手段に格納された１の物理チャンネルの受信強度が低下した際に、抽出された複数の物理チャンネルの内、他の物理チャンネルの受信状態が良好である場合には、１の物理チャンネルに換えて他の物理チャンネルを受信することにより視聴を可能とすることができるのである。
【００１９】
つまり、１のマルチプレックス情報に対応付けて、１のマルチプレックス情報によって規定されたサービスを受信可能な複数の物理チャンネルの物理チャンネル識別情報が重複記憶手段に格納されているため、重複記憶手段に格納された複数の物理チャンネルの中から受信状態の良い物理チャンネルをモニタに表示する物理チャンネルとして選定することによって、受信状態の良いチャンネルの選択を効率的に行うことができるのである。
【００２０】
また、複数の物理チャンネルの中から受信状態の良い物理チャンネルがモニタに表示する物理チャンネルとして選定され、選定された物理チャンネルの物理チャンネル識別情報がチャンネル記憶手段に、１のマルチプレックス情報に対応付けて格納されるため、受信状態の良いチャンネルの選択を効率的に行うことができるのである。
【００２１】
更に、受信良否情報としてＢＥＲ（Ｂｉｔ  Ｅｒｒｏｒ  Ｒａｔｅ）が生成されるため、受信状態を正確に評価する受信良否情報を生成することができる。
【００２２】
加えて、外部からの操作入力が受け付けられて、受け付けられた操作入力に基づいて１の論理チャンネルがモニタに表示する論理チャンネルとして受け付けられ、受け付けられた１の論理チャンネルに対応するマルチプレックス情報が、重複記憶手段に格納されているか否かが判定される。そして、重複記憶手段に格納されていると判定された場合に、チャンネル記憶手段に格納されている１の論理チャンネルに対応する１の物理チャンネルの受信状態の良否を評価する情報である受信良否情報が生成され、生成された受信良否情報に対応する受信状態が予め設定された所定の状態以下であるか否かが判定される。更に、所定の状態以下であると判定された場合に、重複記憶手段に格納された他の物理チャンネルについて受信良否情報が生成され、複数の物理チャンネルから受信状態の良好な物理チャンネルが選定され、他の物理チャンネルが選定された場合に、チャンネル記憶手段に格納された１の物理チャンネルを識別する情報である物理チャンネル識別情報が、他の物理チャンネルを識別する情報である物理チャンネル識別情報に書き換えられるため、受信状態の良いチャンネルの選択を更に効率的に行うことができる。
【００２３】
すなわち、重複記憶手段に格納されているマルチプレックス情報に対応する論理チャンネルが、モニタに表示する論理チャンネルとして受け付けられる度に、１の論理チャンネルに対応する１の物理チャンネルの受信状態の良否が評価されるため、ユーザが視聴を開始する前に、受信状態の良否が評価されるので、受信状態の良いチャンネルの選択を更に効率的に行うことができるのである。
【００２４】
また、１の物理チャンネルのＢＥＲが予め設定された所定の閾値より大きい場合に、受信状態が予め設定された所定の状態以下であると判定されるため、所定の閾値を適正に設定することによって、受信状態の良いチャンネルの選択を適正なタイミングで行うことができる。
【００２５】
すなわち、例えば、所定の閾値をブロックノイズが発生するか否かを示すＢＥＲの閾値（例えば、１×１０-5）に設定することによって、ブロックノイズの発生を防止するべく受信状態の良いチャンネルの選択を行うことができる。
【００２６】
請求項２に記載のデジタル放送受信装置によれば、モニタに表示する１のサービスに対応する論理チャンネルを識別する情報である論理チャンネル識別情報が、１のサービスが受信可能なサービスとして含まれる１のマルチプレックス情報、及び、１のマルチプレックス情報によって規定されるサービスを受信可能な１の放送波の周波数に対応する１の物理チャンネルを識別する情報である物理チャンネル識別情報と対応付けてチャンネル記憶手段に予め格納されている。そして、デジタルテレビジョン放送を介して、各マルチプレックス情報によって規定されたサービスを受信可能な物理チャンネルが抽出されると共に、１のマルチプレックス情報に対して複数の物理チャンネルが抽出された場合に、１のマルチプレックス情報に対応付けて、抽出された複数の物理チャンネルの物理チャンネル識別情報が、重複記憶手段に格納される。
【００２７】
また、予め設定された所定のタイミングで、デジタルテレビジョン放送を介して、重複記憶手段に格納された１のマルチプレックス情報に対応する複数の物理チャンネルの受信状態の良否を評価する情報である受信良否情報がそれぞれ生成され、生成された受信良否情報に基づいて、抽出された複数の物理チャンネルから受信状態の良好な物理チャンネルが、モニタに表示する物理チャンネルとして選定され、選定された物理チャンネルの物理チャンネル識別情報が、チャンネル記憶手段に、１のマルチプレックス情報に対応付けて格納されるため、受信状態の良いチャンネルの選択を効率的に行うことができる。
【００２８】
すなわち、デジタルテレビジョン放送を介して、１のマルチプレックス情報によって規定されたサービスを受信可能な複数の物理チャンネルが抽出された場合には、これらの物理チャンネルを介して受信されるサービス（＝論理チャンネル）は同一であるため、抽出された複数の物理チャンネルの内、チャンネル記憶手段に格納された１の物理チャンネルの受信強度が低下した際に、抽出された複数の物理チャンネルの内、他の物理チャンネルの受信状態が良好である場合には、１の物理チャンネルに換えて他の物理チャンネルを受信することにより視聴を可能とすることができるのである。
【００２９】
つまり、１のマルチプレックス情報に対応付けて、１のマルチプレックス情報によって規定されたサービスを受信可能な複数の物理チャンネルの物理チャンネル識別情報が重複記憶手段に格納されているため、重複記憶手段に格納された複数の物理チャンネルの中から受信状態の良い物理チャンネルをモニタに表示する物理チャンネルとして選定することによって、受信状態の良いチャンネルの選択を効率的に行うことができるのである。
【００３０】
また、複数の物理チャンネルの中から受信状態の良い物理チャンネルがモニタに表示する物理チャンネルとして選定され、選定された物理チャンネルの物理チャンネル識別情報がチャンネル記憶手段に、１のマルチプレックス情報に対応付けて格納されるため、受信状態の良いチャンネルの選択を効率的に行うことができるのである。
【００３１】
請求項３に記載のデジタル放送受信装置によれば、受信良否情報としてＢＥＲ（Ｂｉｔ  Ｅｒｒｏｒ  Ｒａｔｅ）が生成されるため、受信状態を正確に評価する受信良否情報を生成することができる。
【００３２】
請求項４に記載のデジタル放送受信装置によれば、外部からの操作入力が受け付けられて、受け付けられた操作入力に基づいて１の論理チャンネルがモニタに表示する論理チャンネルとして受け付けられ、受け付けられた１の論理チャンネルに対応するマルチプレックス情報が、重複記憶手段に格納されているか否かが判定される。そして、重複記憶手段に格納されていると判定された場合に、チャンネル記憶手段に格納されている１の論理チャンネルに対応する１の物理チャンネルの受信状態の良否を評価する情報である受信良否情報が生成され、生成された受信良否情報に対応する受信状態が予め設定された所定の状態以下であるか否かが判定される。更に、所定の状態以下であると判定された場合に、重複記憶手段に格納された他の物理チャンネルについて受信良否情報が生成され、複数の物理チャンネルから受信状態の良好な物理チャンネルが選定され、他の物理チャンネルが選定された場合に、チャンネル記憶手段に格納された１の物理チャンネルを識別する情報である物理チャンネル識別情報が、他の物理チャンネルを識別する情報である物理チャンネル識別情報に書き換えられるため、受信状態の良いチャンネルの選択を更に効率的に行うことができる。
【００３３】
すなわち、重複記憶手段に格納されているマルチプレックス情報に対応する論理チャンネルが、モニタに表示する論理チャンネルとして受け付けられる度に、１の論理チャンネルに対応する１の物理チャンネルの受信状態の良否が評価されるため、ユーザが視聴を開始する前に、受信状態の良否が評価されるので、受信状態の良いチャンネルの選択を更に効率的に行うことができるのである。
【００３４】
請求項５に記載のデジタル放送受信装置によれば、１の物理チャンネルのＢＥＲが予め設定された所定の閾値より大きい場合に、受信状態が予め設定された所定の状態以下であると判定されるため、所定の閾値を適正に設定することによって、受信状態の良いチャンネルの選択を適正なタイミングで行うことができる。
【００３５】
すなわち、例えば、所定の閾値をブロックノイズが発生するか否かを示すＢＥＲの閾値（例えば、１×１０-5）に設定することによって、ブロックノイズの発生を防止するべく受信状態の良いチャンネルの選択を行うことができる。
【００３６】
請求項６に記載のデジタル放送受信装置によれば、予め設定された所定時間毎に、受信状態の良否を評価する情報である受信良否情報が生成され、受信良否情報が生成される度に、物理チャンネルが選定され、物理チャンネルが選定される度に、チャンネル記憶手段に格納された物理チャンネル識別情報が更新されるため、受信状態の良いチャンネルの選択を更に効率的に行うことができる。
【００３７】
すなわち、予め設定された所定時間毎に、受信状態の良否を評価する情報である受信良否情報が生成され、受信良否情報が生成される度に、受信状態の良い物理チャンネルが選定されるため、所定時間を適正な値（例えば、１時間）に設定することによって、受信状態の良いチャンネルの選択を適正なタイミングで行うことができるのである。
【００３８】
請求項７に記載のデジタル放送受信装置によれば、外部からの操作入力が受け付けられて、受け付けられた操作入力に基づいて、受信状態の良否を評価する情報である受信良否情報が生成され、受信良否情報が生成される度に、物理チャンネルが選定され、物理チャンネルが選定される度に、チャンネル記憶手段に格納された物理チャンネル識別情報が更新されるため、受信状態の良いチャンネルの選択を更に効率的に行うことができる。
【００３９】
すなわち、外部からの操作入力が受け付けられて、受け付けられた操作入力に基づいて、受信状態の良いチャンネルが選択されるため、ユーザが所望するタイミングで受信状態の良いチャンネルの選択を行うことができるので、受信状態の良いチャンネルの選択を更に効率的に行うことができるのである。
【００４０】
請求項８に記載のデジタル放送受信装置によれば、モニタに表示する１のサービスに対応する論理チャンネルを識別する情報である論理チャンネル識別情報が、１のサービスが受信可能な１の放送波の周波数に対応する１の物理チャンネルを識別する情報である物理チャンネル識別情報と対応付けてチャンネル記憶手段に予め格納されている。そして、デジタルテレビジョン放送を介して、各論理チャンネルを受信可能な物理チャンネルを抽出すると共に、１の論理チャンネルに対して複数の物理チャンネルが抽出された場合に、１の論理チャンネルを示す論理チャンネル識別情報に対応付けて、抽出された複数の物理チャンネルの物理チャンネル識別情報が、重複記憶手段に格納される。
【００４１】
また、予め設定された所定のタイミングで、デジタルテレビジョン放送を介して、重複記憶手段に格納された１の論理チャンネルに対応する複数の物理チャンネルの受信状態の良否を評価する情報である受信良否情報がそれぞれ生成され、生成された受信良否情報に基づいて、チャンネル記憶手段に格納された複数の物理チャンネルから１の物理チャンネルが、モニタに表示する物理チャンネルとして選定される。更に、選定された物理チャンネルの物理チャンネル識別情報が、チャンネル記憶手段に、１の論理チャンネル識別情報に対応付けて格納されるため、受信状態の良いチャンネルの選択を効率的に行うことができる。
【００４２】
すなわち、デジタルテレビジョン放送を介して、１の論理チャンネルを受信可能な複数の物理チャンネルが抽出された場合には、これらの物理チャンネルを介して受信されるサービス（＝論理チャンネル）は同一であるため、抽出された複数の物理チャンネルの内、チャンネル記憶手段に格納された１の物理チャンネルの受信強度が低下した際に、抽出された複数の物理チャンネルの内、他の物理チャンネルの受信状態が良好である場合には、１の物理チャンネルに換えて他の物理チャンネルを受信することにより視聴を可能とすることができるのである。
【００４３】
つまり、１の論理チャンネルに対して複数の物理チャンネルが抽出された場合に、１の論理チャンネルを示す論理チャンネル識別情報に対応付けて、抽出された複数の物理チャンネルの物理チャンネル識別情報が、重複記憶手段に格納されているため、重複記憶手段に格納された複数の物理チャンネルの中から受信状態の良い物理チャンネルをモニタに表示する物理チャンネルとして選定することによって、受信状態の良いチャンネルの選択を効率的に行うことができるのである。
【００４４】
また、複数の物理チャンネルの中から受信状態の良い物理チャンネルがモニタに表示する物理チャンネルとして選定され、選定された物理チャンネルの物理チャンネル識別情報がチャンネル記憶手段に、論理チャンネル識別情報に対応付けて格納されるため、受信状態の良いチャンネルの選択を効率的に行うことができるのである。
【発明を実施するための最良の形態】
【００４５】
以下に本発明の実施形態を、図面を参照しながら説明する。図１は、本発明に係るデジタル放送受信機１の一例を示す構成図である。デジタル放送受信機１（デジタル放送受信装置に相当する）は、リモートコントローラ（＝Ｒｅｍｏｔｅｃｏｎｔｒｏｌｌｅｒ：以下、「リモコン」という）２を介してユーザからの操作入力を受け付けて、デジタルテレビジョン放送を受信し、ディスプレイ１８３に出力可能に構成されている。
【００４６】
また、図１に示すように、デジタル放送受信機１は、ＭＰＵ１１、ＲＡＭ１２、ＲＯＭ１３、操作部１４、受信部１５、音声出力部１６、ＭＰＥＧ２デコード部１７、画像出力部１８、及び、赤外線通信部１９を備えている。
【００４７】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、動画像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００４８】
操作部１４は、電源のＯＮ、ＯＦＦ操作、選局等の各種操作を受け付けるものである。受信部１５（チャンネル抽出手段の一部、受信状態評価部１１５の一部に相当する）は、デジタルテレビジョン放送を受信して復調するものであって、アンテナ部１５１、チューナ部１５２、Ａ／Ｄ変換部１５３、復調部１５４、及び、ＴＳデマルチプレクサ１５５を備えている。
【００４９】
アンテナ部１５１は、デジタルテレビジョン放送波を受信するものである。チューナ部１５２は、アンテナ部１５１で受信されたデジタルテレビジョン放送波から、予め設定されたチャンネルの放送を選局するものである。Ａ／Ｄ変換部１５３は、チューナ部１５２からの出力信号（＝アナログ信号）をデジタル情報に変換するものである。復調部１５４は、Ａ／Ｄ変換部１５３からの出力情報を復調するものである。ＴＳ（Ｔｒａｎｓｐｏｒｔ  Ｓｔｒｅａｍ）デマルチプレクサ１５５は、復調部１５４によって復調された出力情報を種別毎に分離して出力するものである。
【００５０】
音声出力部１６は、受信部１５によって受信されたデジタルテレビジョン放送に対応する音声を出力するものであって、Ｄ／Ａ変換部１６１、音声信号出力部１６２、及び、スピーカ１６３を備えている。Ｄ／Ａ変換部１６１は、ＴＳデマルチプレクサ１５５から出力された音声情報（＝デジタル情報）をアナログ信号に変換するものである。音声信号出力部１６２は、Ｄ／Ａ変換部１６１によってアナログ信号に変換された音声信号を出力するものである。スピーカ１６３は、音声信号出力部１６２から出力された音声信号に対応する音声を出力するものである。
【００５１】
ＭＰＥＧ（Ｍｏｔｉｏｎ  Ｐｉｃｔｕｒｅ  Ｅｘｐｅｒｔｓ  Ｇｒｏｕｐ）２デコード部１７は、ＴＳデマルチプレクサ１５５から出力された動画像情報を圧縮前の動画像情報に復号化するものである。
【００５２】
画像出力部１８は、ＭＰＥＧ２デコード部１７によって復号化された動画像情報を出力するものであって、ＮＴＳＣエンコード部１８１、映像信号出力部１８２、及び、ディスプレイ１８３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１８１は、ＭＰＥＧ２デコード部１７によって復号化された動画像情報をＮＴＳＣ方式のテレビジョン信号に変換するものである。映像信号出力部１８２は、ＮＴＳＣエンコード部１８１から出力されたＮＴＳＣ方式のテレビジョン信号を第１ディスプレイ１８３に対して出力するものである。ディスプレイ１８３（モニタに相当する）は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１８２から出力されたテレビジョン信号に対応する動画像を表示するものである。
【００５３】
赤外線通信部１９は、リモコン２からの電源のＯＮ、ＯＦＦ操作、選局、デジタル放送受信機１の各種設定（チャンネル設定等）等の各種操作を受け付けるものである。
【００５４】
次に、デジタル放送受信機１が放送を受信する場合の動作について説明する。まず、送信されてきたデジタル放送波がアンテナ部１５１で受信される。リモコン２（又は操作部１４）を介して選局操作が受け付けられた場合には、チューナ部１５２によって受信するトランスポンダ（Ｔｒａｎｓｐｏｎｄｅｒ）の切換が行われる。受信されたデジタル放送波は、Ａ／Ｄ変換部１５３によりデジタル情報に変換され、復調部１５４によって復調される。
【００５５】
なお、デジタル放送波は、送信側（送信局）からＴＳ（Ｔｒａｎｓｐｏｒｔ  Ｓｔｒｅａｍ）パケットとして送信される。このＴＳパケットは、動画像情報、音声情報、番組情報等を含む制御情報等からなり、これらの情報がＴＳデマルチプレクサ１５５によって、分離して出力され、ＲＡＭ１２に格納される。そして、ＲＡＭ１２から読み出された音声情報がＤ／Ａ変換部１６１によってアナログ信号に変換され、音声信号出力部１６２を介してスピーカ１６３から音声が出力される。
【００５６】
また、ＲＡＭ１２から読み出された動画像情報がＭＰＥＧ２デコード部１７によって圧縮前の動画像情報に復号化され、ＮＴＳＣエンコード部１８１によってＮＴＳＣ方式のテレビジョン信号に変換されて、映像信号出力部１８２を介して第１ディスプレイ１８３に動画像が表示される。
【００５７】
図２は、リモコン２の外観の一例を示す図である。リモコン２は、ユーザからの操作入力を受け付けて、操作入力に対応する赤外線信号を生成して、デジタル放送受信機１に対して出力するものであって、赤外線通信部２１、テンキー２２、及び、メニューキー２３、チャンネルキー２４を備えている。赤外線通信部２１は、ユーザによって押下されたキーに対応する操作信号を生成し、赤外線信号に変換してデジタル放送受信機１に対して送信するものである。
【００５８】
テンキー２２は、「０」〜「９」の数字を受け付けるキーであって、チャンネル番号等を入力する場合に押下されるキーである。メニューキー２３は、チャンネル設定等の各種設定を行う場合に押下されるキーである。チャンネルキー２４は、予め設定された順序でチャンネルを変更する場合に押下されるキーである。
【００５９】
図３は、本発明に係るデジタル放送受信機１の機能構成の一例を示すブロック図である。図１に示すデジタル放送受信機１のＭＰＵ１１は、機能的に、チャンネル抽出部１１１、チャンネル受付部１１２、第１判定部１１３、第２判定部１１４、受信状態評価部１１５、チャンネル選定部１１６、及び、チャンネル更新部１１７を備えている。また、図２に示すＲＡＭ１２は、機能的に、チャンネル記憶部１２１及び重複記憶部１２２を備えている。
【００６０】
ここでは、ＭＰＵ１１が、図１に示すＲＯＭ１３等に予め格納された制御プログラムを読み出して実行することにより、チャンネル抽出部１１１、チャンネル受付部１１２、第１判定部１１３、第２判定部１１４、受信状態評価部１１５、チャンネル選定部１１６、チャンネル更新部１１７等の機能部として機能すると共に、ＲＡＭ１２を、チャンネル記憶部１２１、重複記憶部１２２等の機能部として機能させるものである。
【００６１】
また、図１に示すＲＡＭ１２、ＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、半導体メモリ等である。
【００６２】
チャンネル記憶部１２１（チャンネル記憶手段に相当する）は、ディスプレイ１８３に表示する１のサービスに対応する論理チャンネルを識別する情報である論理チャンネル識別情報を、１のサービスが受信可能なサービスとして含まれる１のマルチプレックス情報、及び、１のマルチプレックス情報によって規定されるサービスを受信可能な１の放送波の周波数に対応する１の物理チャンネルを識別する情報である物理チャンネル識別情報と対応付けて予め格納するものであって、いわゆる「チャンネルマップ」を格納するものである（図５（ａ）参照）。
【００６３】
重複記憶部１２２（重複記憶手段に相当する）は、各マルチプレックス情報を、マルチプレックス情報によって規定されるサービスを受信可能な複数の物理チャンネルの物理チャンネル識別情報と対応付けて格納するものである（図５（ｂ）参照）。また、重複記憶部１２２は、チャンネル抽出部１１１によって、１のマルチプレックス情報に対して複数の物理チャンネルが抽出された場合に、１のマルチプレックス情報に対応付けて、抽出された複数の物理チャンネルの物理チャンネル識別情報が格納されるものである。
【００６４】
ここで、図４、図５を用いて、チャンネル記憶部１２１に格納されるチャンネルマップ、及び、重複記憶部１２２に格納される情報について説明する。図４は、図１に示す受信部１５を介して受信可能なチャンネルの一例を示す図表である。図の左側の欄から順に、物理チャンネル番号、マルチプレックス情報、ＢＥＲ、論理チャンネル名称、及び、論理チャンネル番号（ＬＣＮ：Ｌｏｇｉｃａｌ  Ｃｈａｎｎｅｌ  Ｎｕｍｂｅｒ）が対応付けて表示されている。
【００６５】
物理チャンネル番号（物理チャンネル識別情報に相当する）は、放送波の周波数に対応する番号であって、ここでは、「２１」、の４個の物理チャンネル番号に対応するサービスが受信可能である。マルチプレックス情報は、物理チャンネルを介して受信可能なサービスを規定する情報であって、ここでは、「２１」、「２５」、「３０」、「５５」の各物理チャンネル番号に対応して、それぞれ、「１」、「２」、「Ａ」、「１」のマルチプレックス情報に対応するサービスが受信可能である。
【００６６】
ＢＥＲ（Ｂｉｔ  Ｅｒｒｏｒ  Ｒａｔｅ）は、各物理チャンネルの受信状態を示すものであって、その値が小さい程、受信状態が良好である。ここでは、ＢＥＲが、「１×１０-5」以下である場合に、受信状態が良好であると判定するものである。従って、物理チャンネル番号が「２１」の物理チャンネルのＢＥＲは、「１．４×１０-3」であるため、受信状態が良好ではないと判定され、図５（ａ）に示すチャンネルマップには登録されない。一方、物理チャンネル番号が「２５」、「３０」、「５５」の物理チャンネルのＢＥＲは、「１×１０-8」未満であるため、受信状態が良好であると判定され、図５（ａ）に示すチャンネルマップには登録される。
【００６７】
論理チャンネル名称は、マルチプレックス情報に対応するマルチプレックスとして受信される１のサービスに対応する名称である。論理チャンネル番号は、マルチプレックス情報に対応するマルチプレックスとして受信される１のサービスに対応するチャンネル番号である。
【００６８】
例えば、物理チャンネル番号が「２１」又は「４５」の物理チャンネルを介して受信されるマルチプレックスには、「１、２、７、７０、８０、１０５、７１９、７２０」の８個の論理チャンネル番号に対応するサービスが含まれている。すなわち、「１、２、７、７０、８０、１０５、７１９、７２０」の８個の論理チャンネル番号に対応するサービスが、マルチプレックス情報が「１」のマルチプレックスとして重畳されて物理チャンネル番号が「２１」又は「４５」の物理チャンネルを介して伝送されるものである。
【００６９】
図５は、チャンネル記憶部１２１に格納されるチャンネルマップ、及び、重複記憶部１２２に格納される情報の一例を示す図表である。（ａ）は、チャンネルマップを示す図表であり、（ｂ）は、重複記憶部１２２に格納される情報を示す図表である。チャンネルマップは、ユーザからの操作入力を介して論理チャンネル番号が受け付けられた場合に、物理チャンネル番号を選択して、受信部１５のチューナ部１５２に対して、選択された物理チャンネルの放送を選局させるためのテーブルである。
【００７０】
（ａ）に示すように、チャンネルマップには、図の左側の欄から順に、物理チャンネル番号、マルチプレックス情報、論理チャンネル名称、及び、論理チャンネル番号（＝ＬＣＮ）が対応付けて格納されている。ここでは、上述のように、物理チャンネル番号が「２５」、「３０」、「５５」の物理チャンネルのＢＥＲは、「１×１０-8」未満であるため、受信状態が良好であると判定され、チャンネルマップに登録されている。
【００７１】
（ｂ）に示すように、重複記憶部１２２には、図の左側の欄から順に、マルチプレックス情報、及び、物理チャンネル番号が対応付けて格納されている。ここでは、マルチプレックス情報が「１」であるマルチプレックスを受信可能な物理チャンネル番号として、「２１」と「４５」が格納されている。すなわち、チャンネル抽出部１１１によって、図４に示す受信可能なチャンネルから、１のマルチプレックス情報（ここでは、「１」）に対して複数の物理チャンネル（物理チャンネル番号が「２１」と「４５」とである物理チャンネル）が抽出され、重複記憶部１２２に格納されているものである。なお、物理チャンネル番号が「２１」の物理チャンネルのＢＥＲは、「１．４×１０-3」であるため、受信状態が良好ではないと判定され、図５（ａ）に示すチャンネルマップには登録されていない。
【００７２】
再び、図３に示すブロック図に戻って、デジタル放送受信機１における機能構成について説明する。チャンネル抽出部１１１（チャンネル抽出手段の一部に相当する）は、受信部１５を介して、各マルチプレックス情報によって規定されたサービスを受信可能な物理チャンネルを抽出すると共に、１のマルチプレックス情報に対して複数の物理チャンネルが抽出された場合に、前記１のマルチプレックス情報に対応付けて、抽出された複数の物理チャンネルの物理チャンネル識別情報を、重複記憶部１２２に格納するものである。
【００７３】
チャンネル受付部１１２（チャンネル受付手段の一部に相当する）は、リモコン２を介してユーザからの操作入力を受け付けて、受け付けられた操作入力に基づいて、１の論理チャンネルをディスプレイ１８３に表示する論理チャンネルとして受け付けるものである。具体的には、チャンネル受付部１１２は、図２に示すリモコン２のテンキー２２又はチャンネルキー２４に対応する操作信号が受け付けられた場合に、受け付けられた操作信号に対応する１の論理チャンネルをディスプレイ１８３に表示する論理チャンネルとして受け付けるものである。例えば、図５（ａ）に示す論理チャンネル番号が「３」に対応する操作信号が受け付けられた場合には、チャンネル受付部１１２は、図１に示す受信部１５のチューナ部１５２に対して、物理チャンネル番号が「２５」に対応する放送波を選局させるものである。また、例えば、図５（ａ）に示す論理チャンネル番号が「４」に対応する操作信号が受け付けられた場合には、チャンネル受付部１１２は、図１に示す受信部１５のチューナ部１５２に対して、物理チャンネル番号が「３０」に対応する放送波を選局させるものである。
【００７４】
第１判定部１１３（第１判定手段に相当する）は、チャンネル受付部１１２によって受け付けられた１の論理チャンネルに対応するマルチプレックス情報が、重複記憶部１２２に格納されているか否かを判定するものである。例えば、図５（ａ）に示す論理チャンネル番号が「３」に対応する操作信号が受け付けられた場合には、第１判定部１１３は、論理チャンネル番号が「３」に対応するマルチプレックス情報が「２」であり、マルチプレックス情報の「２」は重複記憶部１２２に格納されていないと判定するものである。また、例えば、図５（ａ）に示す論理チャンネル番号が「１」に対応する操作信号が受け付けられた場合には、第１判定部１１３は、論理チャンネル番号が「１」に対応するマルチプレックス情報が「１」であり、マルチプレックス情報の「１」は重複記憶部１２２に格納されていると判定するものである。
【００７５】
第２判定部１１４（第２判定手段に相当する）は、第１判定部１１３によって重複記憶部１２２に格納されていると判定された場合に、受信状態評価部１１５に対して、チャンネル記憶部１２１に格納されている１の論理チャンネル（ここでは、例えば、論理チャンネル番号が「１」の論理チャンネル）に対応するに対応する１の物理チャンネル（ここでは、例えば、物理チャンネル番号が「４５」の物理チャンネル）のＢＥＲを生成させ、生成されたＢＥＲが予め設定された所定の閾値（ここでは、１×１０-5）より大きいか否かに基づいて、受信状態が予め設定された所定の状態以下であるか否か（＝受信状態が良好であるか否か）を判定するものである。
【００７６】
受信状態評価部１１５（受信状態評価手段の一部に相当する）は、第２判定部１１４からの指示に従って、チャンネル記憶部１２１に格納されている１の論理チャンネル（ここでは、例えば、論理チャンネル番号が「１」の論理チャンネル）に対応する１の物理チャンネル（ここでは、例えば、物理チャンネル番号が「４５」の物理チャンネル）のＢＥＲを、受信部１５を介して生成するものである。また、受信状態評価部１１５は、第２判定部１１４によって所定の状態以下である（＝受信状態が良好ではない：ＢＥＲが１×１０-5より大きい）と判定された場合に、重複記憶部１２２に格納された他の物理チャンネル（ここでは、例えば、物理チャンネル番号が「２１」の物理チャンネル）についてＢＥＲを、受信部１５を介して生成するものである。
【００７７】
チャンネル選定部１１６（チャンネル選定手段に相当する）は、受信状態評価部１１５によって重複記憶部１２２に格納された他の物理チャンネル（ここでは、例えば、物理チャンネル番号が「２１」の物理チャンネル）についてＢＥＲが生成された場合に、受信状態評価部１１５によって生成された１の物理チャンネルのＢＥＲ（ここでは、物理チャンネル番号が「４５」の物理チャンネル）及び他の物理チャンネル（ここでは、物理チャンネル番号が「２１」の物理チャンネル）に基づいて、チャンネル抽出部１１１によって抽出された複数の物理チャンネル（ここでは、物理チャンネル番号が「２１」、「４５」の物理チャンネル）から受信状態の良好な物理チャンネルを、ディスプレイ１８３に表示する物理チャンネルとして選定するものである。
【００７８】
チャンネル更新部１１７（チャンネル更新手段に相当する）は、チャンネル選定部１１６によって選定された物理チャンネルの物理チャンネル識別情報（ここでは、物理チャンネル番号情報）を、チャンネル記憶部１２１に、１のマルチプレックス情報に対応付けて格納するものである。
【００７９】
図６は、デジタル放送受信機１（主にＭＰＵ１１）の動作の一例を示すフローチャートである。ここでは、便宜上、チャンネル記憶部１２１には、予めチャンネルマップ（図５（ａ）参照）が格納され、重複記憶部１２２に、予めマルチプレックス情報が複数の物理チャンネルの物理チャンネル識別情報と対応付けて格納されている（図５（ｂ）参照）ものとする。まず、チャンネル受付部１１２によって、論理チャンネルが受け付けられたか否かの判定が行われる（Ｓ１０１）。
【００８０】
論理チャンネルが受け付けられていないと判定された場合（Ｓ１０１でＮＯ）には、処理が待機状態とされる。論理チャンネルが受け付けられたと判定された場合（Ｓ１０１でＹＥＳ）には、第１判定部１１３によって、ステップＳ１０１で受け付けられた論理チャンネル受け付けられた論理チャンネルに対応するマルチプレックス情報が、重複記憶部１２２に格納されているか否かの判定が行われる（Ｓ１０３）。重複記憶部１２２に格納されていないと判定された場合（Ｓ１０３でＮＯ）には、処理がステップＳ１０１に戻され、ステップＳ１０１以降の処理が繰り返し実行される。
【００８１】
重複記憶部１２２に格納されていると判定された場合（Ｓ１０３でＹＥＳ）には、受信状態評価部１１５によって、ステップＳ１０１で受け付けられた論理チャンネルを含むマルチプレックス情報に対応し、且つ、重複記憶部１２２に格納されている１の物理チャンネルのＢＥＲ（＝ＢＥＲ１）が生成される（Ｓ１０５）。そして、第２判定部１１４によって、ステップＳ１０５で生成されたＢＥＲ１が、所定の閾値ＳＨＬ（ここでは、１×１０-5）以下であるか否かの判定が行われる（Ｓ１０７）。
【００８２】
閾値ＳＨＬ以下である（＝受信状態が良好である）と判定された場合（Ｓ１０７でＹＥＳ）には、処理がステップＳ１０１に戻され、ステップＳ１０１以降の処理が繰り返し実行される。閾値ＳＨＬ以下ではない（＝受信状態が良好ではない）と判定された場合（Ｓ１０７でＮＯ）には、受信状態評価部１１５によって、ステップＳ１０１で受け付けられた論理チャンネルを含むマルチプレックス情報に対応し、且つ、重複記憶部１２２に格納されている他の物理チャンネルのＢＥＲ（＝ＢＥＲ２）が生成される（Ｓ１０９）。そして、チャンネル選定部１１６によって、ステップＳ１０５で生成されたＢＥＲ１が、ステップＳ１０９で生成されたＢＥＲ２より大きいか否か（＝他の物理チャンネルのほうが、受信状態が良好であるか否か）の判定が行われる（Ｓ１１１）。
【００８３】
ＢＥＲ１がＢＥＲ２以下である（＝１の物理チャンネルのほうが、受信状態が良好である）と判定された場合（Ｓ１１１でＮＯ）には、処理がステップＳ１０１に戻され、ステップＳ１０１以降の処理が繰り返し実行される。ＢＥＲ１がＢＥＲ２より大きい（＝他の物理チャンネルのほうが、受信状態が良好である）と判定された場合（Ｓ１１１でＹＥＳ）には、チャンネル選定部１１６によって、受信状態の良好な物理チャンネルである他の物理チャンネルが、ディスプレイ１８３に表示する物理チャンネルとして選定される（Ｓ１１３）。そして、チャンネル更新部１１７によって、他の物理チャンネルが、チャンネル記憶部１２１に格納され（Ｓ１１５）、処理が終了される。
【００８４】
このようにして、ディスプレイ１８３に表示する１のサービスに対応する論理チャンネルを識別する情報である論理チャンネル識別情報が、１のサービスが受信可能なサービスとして含まれる１のマルチプレックス情報、及び、１のマルチプレックス情報によって規定されるサービスを受信可能な１の放送波の周波数に対応する１の物理チャンネルを識別する情報である物理チャンネル識別情報（ここでは、物理チャンネル番号情報）と対応付けてチャンネル記憶部１２１に予め格納されている（図５（ａ）参照）。そして、受信部１５を介して、各マルチプレックス情報によって規定されたサービスを受信可能な物理チャンネルが抽出されると共に、１のマルチプレックス情報に対して複数の物理チャンネルが抽出された場合に、１のマルチプレックス情報に対応付けて、抽出された複数の物理チャンネルの物理チャンネル識別情報が、重複記憶部１２２に格納される（図５（ｂ）参照）。
【００８５】
また、予め設定された所定のタイミングで、重複記憶部１２２に格納された１のマルチプレックス情報に対応する複数の物理チャンネルの受信状態の良否を評価する情報である受信良否情報（ここでは、ＢＥＲ）がそれぞれ生成され、生成された受信良否情報（ここでは、ＢＥＲ）に基づいて、抽出された複数の物理チャンネルから受信状態の良好な物理チャンネルが、ディスプレイ１８３に表示する物理チャンネルとして選定され、選定された物理チャンネルの物理チャンネル識別情報（ここでは、物理チャンネル番号情報）が、チャンネル記憶部１２１に、１のマルチプレックス情報に対応付けて格納されるため、受信状態の良いチャンネルの選択を効率的に行うことができる。
【００８６】
すなわち、受信部１５を介して、１のマルチプレックス情報によって規定されたサービスを受信可能な複数の物理チャンネルが抽出された場合には、これらの物理チャンネルを介して受信されるサービス（＝論理チャンネル）は同一であるため、抽出された複数の物理チャンネルの内、チャンネル記憶部１２１に格納された１の物理チャンネルの受信強度が低下した際に、抽出された複数の物理チャンネルの内、他の物理チャンネルの受信状態が良好である場合には、１の物理チャンネル（ここでは、物理チャンネル番号が「４５」の物理チャンネル）に換えて他の物理チャンネル（ここでは、物理チャンネル番号が「２１」の物理チャンネル）を受信することにより視聴を可能とすることができるのである。
【００８７】
つまり、１のマルチプレックス情報に対応付けて、１のマルチプレックス情報によって規定されたサービスを受信可能な複数の物理チャンネルの物理チャンネル識別情報が重複記憶部１２２に格納されているため、重複記憶部１２２に格納された複数の物理チャンネルの中から受信状態の良い物理チャンネルをディスプレイ１８３に表示する物理チャンネルとして選定することによって、受信状態の良いチャンネルの選択を効率的に行うことができるのである。
【００８８】
また、複数の物理チャンネルの中から受信状態の良い物理チャンネルがディスプレイ１８３に表示する物理チャンネルとして選定され、選定された物理チャンネルの物理チャンネル識別情報（ここでは、物理チャンネル番号情報）がチャンネル記憶部１２１に、１のマルチプレックス情報に対応付けて格納されるため、受信状態の良いチャンネルの選択を効率的に行うことができるのである。
【００８９】
更に、受信良否情報としてＢＥＲ（Ｂｉｔ  Ｅｒｒｏｒ  Ｒａｔｅ）が生成されるため、受信状態を正確に評価する受信良否情報を生成することができる。
【００９０】
加えて、リモコン２に配設されたテンキー２２（又はチャンネルキー２４）を介して、ユーザからの操作入力が受け付けられて、受け付けられた操作入力に基づいて１の論理チャンネルがディスプレイ１８３に表示する論理チャンネルとして受け付けられ、受け付けられた１の論理チャンネルに対応するマルチプレックス情報が、重複記憶部１２２に格納されているか否かが判定される。そして、重複記憶部１２２に格納されていると判定された場合に、チャンネル記憶部１２１に格納されている１の論理チャンネルに対応する１の物理チャンネル（ここでは、物理チャンネル番号が「４５」の物理チャンネル）の受信状態の良否を評価する情報である受信良否情報（ここではＢＥＲ）が生成され、生成された受信良否情報に対応する受信状態が予め設定された所定の状態以下であるか否かが判定される。更に、所定の状態以下であると判定された場合に、重複記憶部１２２に格納された他の物理チャンネル（ここでは、物理チャンネル番号が「２１」の物理チャンネル）について受信良否情報（ここではＢＥＲ）が生成され、複数の物理チャンネルから受信状態の良好な物理チャンネルが選定され、他の物理チャンネルが選定された場合に、チャンネル記憶部１２１に格納された１の物理チャンネルを識別する情報である物理チャンネル識別情報が、他の物理チャンネルを識別する情報である物理チャンネル識別情報に書き換えられるため、受信状態の良いチャンネルの選択を更に効率的に行うことができる。
【００９１】
すなわち、重複記憶部１２２に格納されているマルチプレックス情報に対応する論理チャンネルが、ディスプレイ１８３に表示する論理チャンネルとして受け付けられる度に、１の論理チャンネルに対応する１の物理チャンネル（ここでは、物理チャンネル番号が「４５」の物理チャンネル）の受信状態の良否が評価されるため、ユーザが視聴を開始する前に、受信状態の良否が評価されるので、受信状態の良いチャンネルの選択を更に効率的に行うことができるのである。
【００９２】
また、１の物理チャンネルのＢＥＲが予め設定された所定の閾値より大きい場合に、受信状態が予め設定された所定の状態以下である（受信状態が良好ではない）と判定されるため、所定の閾値を適正に設定することによって、受信状態の良いチャンネルの選択を適正なタイミングで行うことができる。
【００９３】
すなわち、例えば、所定の閾値をブロックノイズが発生するか否かを示すＢＥＲの閾値（例えば、１×１０-5）に設定することによって、ブロックノイズの発生を防止するべく受信状態の良いチャンネルの選択を行うことができる。
【００９４】
なお、本発明は、以下の形態にも適用可能である。
（Ａ）本実施形態では、モニタが、デジタル放送受信機１に配設されたディスプレイ１８３である場合について説明したが、モニタが、デジタル放送受信機１とは別の装置として構成されている形態でもよい。例えば、モニタが、パーソナルコンピュータ等に配設されたモニタである形態でもよい。
【００９５】
（Ｂ）本実施形態では、チャンネル記憶部１２１が、論理チャンネル識別情報を、１のマルチプレックス情報及び１の物理チャンネル識別情報と対応付けて格納する場合について説明したが、チャンネル記憶部１２１が、論理チャンネル識別情報を、１の物理チャンネル識別情報と対応付けて格納する形態でもよい。ただし、この場合には、重複記憶部１２２が、論理チャンネル識別情報を物理チャンネル識別情報と対応付けて格納する必要がある。この場合には、マルチプレックス情報を介することなく論理チャンネルと物理チャンネルとを対応付けることができるため、処理を簡略化することができる。
【００９６】
（Ｃ）本実施形態では、チャンネル選定部１１６が、チャンネル受付部１１２によって受け付けられた１の論理チャンネルに対応するマルチプレックス情報が、重複記憶部１２２に格納されており、且つ、マルチプレックス情報に対応する１の物理チャンネルの受信状態が予め設定された所定の状態以下である場合に、受信状態の良好な物理チャンネルを選定する形態について説明したが、その他のタイミングで受信状態の良好な物理チャンネルを選定する形態でもよい。
【００９７】
例えば、チャンネル選定部１１６が、予め設定された所定時間（例えば、１時間）毎に、受信状態の良好な物理チャンネルを選定する形態でもよい。この場合には、定期的に受信状態の良好な物理チャンネルを選定されるため、受信状態の良いチャンネルの選択を効率的に行うことができる。
【００９８】
また、例えば、チャンネル選定部１１６が、図２に示すリモコン２のメニューキー２３に対応する操作信号を受け付けた場合に、受信状態の良好な物理チャンネルを選定する形態でもよい。この場合には、ユーザが所望するタイミングで受信状態の良いチャンネルの選択を行うことができるため、受信状態の良いチャンネルの選択を効率的に行うことができる。
【００９９】
（Ｄ）本実施形態では、受信状態評価部１１５が、受信状態の良否を評価する情報である受信良否情報としてＢＥＲを生成する場合について説明したが、その他の受信良否情報を生成する形態でもよい。例えば、受信状態評価部１１５が、受信される電波の強度を測定し、測定された強度を受信良否情報として生成する形態でもよい。
【０１００】
（Ｅ）本実施形態では、第２判定部１１４が、ＢＥＲがブロックノイズの発生する閾値である１×１０-5以下であるか否かに基づいて、受信状態が良好であると判定する場合について説明したが、第２判定部１１４が、その他の閾値に基づいて受信状態の良否を判定する形態でもよい。例えば、ユーザが受信状態の良否を判定する閾値を設定可能な形態でもよい。この場合には、利便性を向上することができる。
【０１０１】
（Ｆ）本実施形態では、重複記憶部１２２が、１のマルチプレックス情報に対応付けて２つの物理チャンネル番号情報を格納している場合について説明したが、重複記憶部１２２が、重複記憶部１２２が、１のマルチプレックス情報に対応付けて３個以上の物理チャンネル番号情報を格納している形態でもよい。この場合には、チャンネル選定部１１６が、重複記憶部１２２に格納された３個以上の物理チャンネル番号情報の中から、受信状態が最良の１の物理チャンネルを選定することが好ましい。
【図面の簡単な説明】
【０１０２】
【図１】は、本発明に係るデジタル放送受信機の一例を示す構成図である。
【図２】は、リモコン２の外観の一例を示す図である。
【図３】は、本発明に係るデジタル放送受信機の機能構成の一例を示すブロック図である。
【図４】は、図１に示す受信部を介して受信可能なチャンネルの一例を示す図表である。
【図５】は、チャンネル記憶部に格納されるチャンネルマップ、及び、重複記憶部に格納される情報の一例を示す図表である。
【図６】は、デジタル放送受信機（主にＭＰＵ）の動作の一例を示すフローチャートである。
【符号の説明】
【０１０３】
１    デジタル放送受信機（デジタル放送受信装置）
１１    ＭＰＵ
１１１    チャンネル抽出部（チャンネル抽出手段の一部）
１１２    チャンネル受付部（チャンネル受付手段の一部）
１１３    第１判定部（第１判定手段）
１１４    第２判定部（第２判定手段）
１１５    受信状態評価部（受信状態評価手段の一部）
１１６    チャンネル選定部（チャンネル選定手段）
１１７    チャンネル更新部（チャンネル更新手段）
１２    ＲＡＭ
１２１    チャンネル記憶部（チャンネル記憶手段）
１２２    重複記憶部（重複記憶手段）
１５    受信部（チャンネル抽出手段の一部、受信状態評価手段の一部）
１８    画像出力部
１８３    ディスプレイ（モニタ）
２    リモコン（チャンネル受付手段の一部）
【図１】
2008167370.tif 000003
【図２】
2008167370.tif 000004
【図３】
2008167370.tif 000005
【図４】
2008167370.tif 000006
【図５】
2008167370.tif 000007
【図６】
2008167370.tif 000008